(57)【要約】【課題】  スライドスイッチがオンとなった状態でプッシュ操作をできないようにし、両者がオンとなることはなく、したがって、大量の電流が流れることは無く、定格電力の問題がなく、あるいは、誤って操作する等の問題もないスイッチユニットの提供。【解決手段】  操作部１，２が本体に対してスライドするタイプのスライドスイッチと、操作部３，４が本体に対してプッシュ可能なタイプのプッシュスイッチを並設したスイッチブロックであって、突部６ｆ，７ｆが設けられているとともに、スライドスイッチの操作部１，２に係合してその操作に伴って移動するカムプレート６，７を備え、カムプレート６，７は、スライドスイッチのオフの位置においてはプッシュスイッチの操作部３，４の回動動作を妨げず、該スライドスイッチのオン位置においては突部６ｆ，７ｆがプッシュスイッチの操作部３，４と対向してプッシュスイッチのプッシュ操作時における該プッシュスイッチの操作部３，４に当接して押し下げ不能とした。【選択図】        図３
2005129302.tif 000002
【特許請求の範囲】
【請求項１】
操作部が本体に対してスライドするタイプのスライドスイッチと、操作部が本体に対してプッシュ可能なタイプのプッシュスイッチを並設したスイッチブロックであって、
突部が設けられているとともに、前記スライドスイッチの操作部に係合してその操作に伴って移動するカムプレートを備え、
前記カムプレートは、前記スライドスイッチのオフの位置においては前記プッシュスイッチの操作部の押圧動作を妨げず、該スライドスイッチのオン位置においては前記突部が前記プッシュスイッチの操作部と対向して前記プッシュスイッチの押圧時における該プッシュスイッチの操作部に当接して押し下げ不能としたことを特徴とするスイッチユニット。
【請求項２】
請求項１において、スライドするタイプの前記スライドスイッチと、操作部が本体に対してプッシュ可能なタイプの前記プッシュスイッチとを一対として前記スライド方向に沿って２組設け、前記カムプレートを２枚設けて平面視して並べて配置したことを特徴とするスイッチユニット。
【請求項３】
請求項２において、前記スライドスイッチの操作部が係合する一方のカムプレート部分に対向する他方のカムプレートにはそのスライド方向に逃げを設けたことを特徴とするスイッチユニット。
【発明の詳細な説明】
【技術分野】
【０００１】
本発明は、スライドスイッチとプッシュスイッチを並設したスイッチブロックを操作するスイッチユニットに関する。
【背景技術】
【０００２】
複数のスイッチを１つの操作部材で操作可能なスイッチとしは、例えば、車両の座席の姿勢を変更するのに用いられるパワースイッチが公知（特許文献１）である。この従来例においては、スイッチのスライド軸が１つの操作つまみに収納され、１つの操作つまみによって座席の角度、位置を操作するものである。
【０００３】
図５は従来例のスイッチユニットの正面図、図６及び図７は図５の動作例を示す説明図である。
【０００４】
これらの図において、１１はスイッチ本体、１２は操作つまみ、１３、１４はスイッチ本体１１から突出したスライド軸、１５はケース、１６、１７は操作つまみ１２の移動を規制するストッパボス、１８は操作つまみ１２に設けられたリブである。
【０００５】
図６に示すように、操作つまみ１２を左右方向に操作すると、スライド軸１３は左右方向にスライドされてスイッチがオンオフされ、シートが前後に移動される。また、図７に示すように、操作つまみ１２を回動させると、スライド軸１４は上下方向にスライドされてスイッチがオンオフされ、シートが上下に移動される。
【特許文献１】特開昭６２−１２１７４０号公報
【発明の開示】
【発明が解決しようとする課題】
【０００６】
しかし、従来例では、１つのレバー１２により各スイッチを操作するため、個々にスイッチを操作できないので、デザインの制約があるという問題がある。この問題を解決するためには個々のスイッチに対応して個々の操作つまみを設ければ上記問題はなくなるが、そのようにした場合には、今度は操作つまみが別々になったために、意図しない複数のスイッチを同時に動作させてしまうという可能性がある。このため、例えば、両方のスイッチにより同時に動作させると問題になるような機能を割り当てることができない。また、スイッチにモータの電流を直接流すような使用用途の場合、複数のスイッチを同時にオンさせてしまうと、ハーネスコネクタの許容電流を超え溶けてしまうという可能性があるため、高価なポジスタ（電流の増大に伴って電気抵抗値が増大し、検知電圧を超えるとさらに急峻に電気抵抗値が増大する特性を有する素子）を用いて電流値が所定以上にならないように制御する必要があった。
【０００７】
本発明は、このような従来技術の実情に鑑みてなされたもので、その目的は、スライドスイッチがオンとなった状態でプッシュ操作をできないようにし、両者がオンとなることはなく、したがって、大量の電流が流れることは無く、定格電力の問題がなく、あるいは、誤って操作する等の問題もないスイッチユニットを提供することにある。
【課題を解決するための手段】
【０００８】
上述の目的を達成するために、本発明のスイッチユニットは、操作部が本体に対してスライドするタイプのスライドスイッチと、操作部が本体に対してプッシュ可能なタイプのプッシュスイッチを並設したスイッチブロックであって、突部が設けられているとともに、前記スライドスイッチの操作部に係合してその操作に伴って移動するカムプレートを備え、前記カムプレートは、前記スライドスイッチのオフの位置においては前記プッシュスイッチの操作部の押圧動作を妨げず、該スライドスイッチのオン位置においては前記突部が前記プッシュスイッチの操作部と対向して前記プッシュスイッチの押圧時における該プッシュスイッチの操作部に当接して押し下げ不能とした構成にしてある。
【０００９】
かかる構成により、スライドスイッチがオンとなった状態でプッシュ操作はできないので、両者がオンとなることはない。したがって、誤って操作する等の問題も無い。また、スイッチにモータの電流を直接流すような使用用途の場合は、大量の電流が流れることは無く、定格電力の問題がない。
【００１０】
また、上述の発明のスイッチユニットにおいて、スライドするタイプの前記スライドスイッチと、操作部が本体に対してプッシュ可能なタイプの前記プッシュスイッチとを一対として前記スライド方向に沿って２組設け、前記カムプレートを２枚設けて平面視して並べて配置した構成にしてある。
【００１１】
かかる構成により、２組のスイッチにおいて、請求項１の作用効果を奏することができる。
【００１２】
また、上述のスイッチユニットにおいて、前記スライドスイッチの操作部が係合する一方のカムプレート部分に対向する他方のカムプレートにはそのスライド方向に逃げを設けた構成にしてある。
【発明の効果】
【００１３】
本発明のスイッチユニットは、スライドスイッチがオンとなった状態でプッシュスイッチのプッシュ操作はできないので、両者がオンとなることはない。したがって、誤って操作する等の問題も無い。また、スイッチにモータの電流を直接流すような使用用途の場合は、大量の電流が流れることは無く、定格電力の問題がない。
【００１４】
また、本発明のスイッチユニットは、２組のスイッチにおいて、上記作用効果を奏することができる。
【発明を実施するための最良の形態】
【００１５】
以下に、本発明のスイッチユニットの一実施例を図に基づいて説明する。
【実施例１】
【００１６】
図１は本発明のスイッチユニットの実施例１を示す斜視図、図２は図１に示す実施例１の平面図、図３は図１に示す実施例１の動作状態の説明図である。
【００１７】
本実施例のスイッチユニットは、ケース５及び該ケース５の内部に配置される第１，第２のスライドスイッチ（図示省略）と第１，第２のプッシュプルスイッチ（プッシュスイッチ、図示省略）を設けたスイッチブロックと、該ケース５の１つの平坦な外表面上に配置される１対の平板状の第１カムプレート６及び第２カムプレート７と、該カムプレート６、７を介して前記ケース５の１つの平坦な外表面と対向して配置されるとともに前記第１，第２のスライドスイッチにそれぞれ係合されて前記ケース５の１つの平坦な外表面上の所定の一直線状、言い換えると前記カムプレートに沿う所定の一直線上をスライド移動して第１，第２のスライドスイッチを動作させる操作つまみ（操作部）１、２と、前記カムプレート６、７を介して前記ケース５の１つの平坦な外表面と対向して配置されるとともに前記第１，第２のプッシュプルスイッチにそれぞれ係合されて、前記スライド方向と直行する方向、言い換えると前記カムプレート６、７の形成方向に対して垂線方向に移動して前記第１，第２のプッシュプルスイッチを動作させる操作つまみ（操作部）３、４とを有する。
【００１８】
前記第１，第２のスライドスイッチは、前記操作つまみ１、２が所定の一直線状を所定の範囲でスライド移動（図１の矢印Ｘ方向）すると、該所定の範囲の一端部でオン、他端でオフとなり、前記第１，第２のプッシュプルスイッチは中立位置（水平位置）から前記操作つまみ３、４の端部をプッシュする又はプルすると軸の周りに回転し、その内部に設けた摺動子受けをスライド移動させてスイッチ回路が切り替わるようになっていて、操作を止めると中立位置に復帰するようになっている。これら第１，第２のスライドスイッチ及び第１，第２のプッシュプルスイッチの構成、及び操作つまみ１、２、３との係合については周知の技術のため、その詳細は省略する。
【００１９】
ケース５は箱形に形成され、内部に第１，第２スライドスイッチと第１，第２プッシュプルスイッチのスイッチ本体が収納され、第１，第２スライドスイッチと第１，第２プッシュプルスイッチの操作つまみ１、２、及び３、４が上面（蓋体）の開口５ａからそれぞれ突出している。各開口５ａは操作つまみ１、２のスライド動作及び操作つまみ３、４のプッシュプル動作を支障なく行えるように形成されている。また、８はハーネスコネクタである。
【００２０】
操作つまみ１、２は、図２に示すように、スライド方向（図１の矢印Ｘ方向）と直交する方向に沿って平板形状の平板部１ａ、２ａが配置されている。
【００２１】
操作つまみ３、４は図１の矢印Ｒ方向に回動自在に軸３ａ、４ａに支持され、また、操作つまみ３、４は図３に示すように、プッシュプルスイッチ本体の摺動子受け９（図３では摺動子受け９は１つのみ図示し、他は図示を省略している）に接続された操作軸部３ｂ、４ｂと、操作軸部３ｂ、４ｂの上端に設けられた内部を中空とするカバー部３ｃ、４ｃと、図３に示すようにカバー部３ｃ、４ｃの回動両下端に配設された第１，第２規制部３ｄ、３ｅ、及び４ｄ、４ｅとからなっている。
【００２２】
また、ケース５の上面には、操作つまみ３、４の第１、第２規制部３ｄ，３ｅ及び４ｄ，４ｅと対向するように平板状の第１カムプレート６と第２カムプレート７が並設され、かつガイド６ａ，７ａによって図２の左右方向、すなわち操作つまみ１、２のスライド方向にスライド自在にガイドされている。
【００２３】
第１カムプレート６には、図２に示すように、操作つまみ１の平板部１ａが係合される係合部６ｂと、第２スライドスイッチの操作つまみ２が位置している逃げ用切欠き部６ｃと、第１，第２プッシュプルスイッチの操作つまみ３、４がそれぞれ位置している切欠き部６ｄが設けられている。また、第１カムプレート６の切欠き部６ｄのスライド方向の縁部付近に平坦状の基部６ｇから規制用突部６ｆが一対ずつ突設され、第１カムプレート６が図３（ｂ）の第１スライドスイッチのオン状態の時、第１，第２プッシュプルスイッチの操作つまみ３、４の第１，第２規制部３ｄ、４ｄもしくは３ｅ、４ｅに突部６ｆが突き当たって両操作つまみ３、４の回動動作が規制されている。
【００２４】
また、第１スライドスイッチの操作つまみ１が係合する一方の第１カムプレート６の係合部６ｂに対向する他方の第２カムプレート７には、そのスライド方向に操作つまみ１の逃げとなる切欠き部７ｃが設けられており、つまり、第１スライドスイッチの操作つまみ１をスライド操作させた時、第２カムプレート７はスライド動作しないようになっている。
【００２５】
第２カムプレート７は、図２に示すように、ケース５の上面に前記第１カムプレート６に対して、前記スライド方向と直行する位置に並  設され、操作つまみ２の平板部２ａが係合される係合部７ｂと、第１スライドスイッチの操作つまみ１が位置している切欠き部７ｃと、第１，第２プッシュプルスイッチの操作つまみ３、４が位置している切欠き部７ｄが設けられている。また、第２カムプレート７の切欠き部７ｄのスライド方向の縁部付近に平坦状の基部７ｇから規制用突部７ｆが一対ずつ突設され、第２カムプレート７が図３（ｄ）の第２スライドスイッチのオン状態の時、第１，第２プッシュプルスイッチの操作つまみ３、４の第１，第２規制部３ｄ、４ｄもしくは３ｅ、４ｅにそれぞれ突き当たって両操作つまみ３、４の回動動作が規制されている。
【００２６】
上記突部６ｆ，７ｆのカムプレート６、７の基部６ｇ、７ｇからの高さは、カムプレート６、７の基部６ｇ、７ｇから第１、第２規制部３ｄ、３ｅもしくは４ｄ、４ｅまでの間隔より若干低く形成されており、上記突部６ｆ，７ｆの高さはプッシュプルスイッチの操作つまみ３、４の回動ストロークより少なくとも高く形成してある。
【００２７】
次に、本実施例の組み込みについて説明すると、プッシュプルスイッチ等を組み込んで、開口５ａのある蓋体をケース５に被着してスイッチブロックを形成した後にカムプレート６，７を挿入し、最後に操作つまみ１〜４を取り付ける。あるいはケース５にスライドスイッチ、プッシュプルスイッチ等を組み込んだ後に、蓋体部分にガイド６ａ，７ａを組み込んだ状態でケース５に被着し、最後に操作つまみ１〜４を取り付ける。
【００２８】
次に、本実施例の動作について説明する。
【００２９】
図３の（ａ）及び（ｃ）に示す第１スライドスイッチと第２スライドスイッチが共にオフの場合、突部６ｆ，７ｆに妨げられることなく第１，第２プッシュプルスイッチの操作つまみ３、４は回動可能であり、第１，第２プッシュプルスイッチはプッシュ動作及びプル動作可能である。このような図３の（ａ）及び（ｃ）の状態から、例えば、第１スライドスイッチの操作つまみ１を左方向にオン操作すると、操作つまみ１の移動と共に第１カムプレート６の係合部６ｂを介して第１カムプレート６も左方向にスライドし、図３（ｂ）のオン状態に達する。この第１スライドスイッチのオン状態では、第１カムプレート６の各突部６ｆが第１，第２プッシュプルスイッチの操作つまみ３，４の第１，第２規制部３ｄ、３ｅ、４ｄ、４ｅの直ぐ下方に位置しているので、各操作つまみ３，４を回動しようとすると、その第１，第２規制部３ｄ、３ｅ、４ｄ、４ｅが突部６ｆに突き当たって回動が規制されている。したがって、図３の（ｂ）に示す第１スライドスイッチのオン状態では、第１，第２プッシュプルスイッチのプッシュ動作及びプル動作不能となっている。
【００３０】
なお、上述した第１スライドスイッチの操作つまみ１の左方向への移動に伴って第１カムプレート６が左方向に移動した際、第２スライドスイッチの操作つまみ２は第１カムプレート６の逃げ用切欠き部６ｃ内を相対的に移動するだけであり、したがって、第１カムプレート６の左方向の移動に対して第２スライドスイッチの操作つまみ２は連動せず、かつ第２スライドスイッチの操作つまみ２が第１カムプレート６の左方向の移動に支障になることはない。
【００３１】
一方、第１スライドスイッチの操作つまみ１を図３の（ｂ）のオン状態から右方向へ移動すると、第１カムプレート６の係合部６ｂにより第１カムプレート６も右方向へ移動し、図３の（ａ）に示すオフ状態となる。このオフ状態ては、第１カムプレート６の各突部６ｆが第１，第２プッシュプルスイッチの操作つまみ３，４の第１，第２規制部３ｄ、３ｅ、及び４ｄ、４ｅの下方位置から外れており、第１，第２プッシュプルスイッチはプッシュ動作及びプル動作可能となる。
【００３２】
次に、第２スライドスイッチをオフからオンに操作した場合について説明する。この第２スライドスイッチのオフの状態を図３（ｃ）に示してある。なお、この図３（ｃ）は図３（ａ）と断面とした位置が異なるもので第１，第２スライドスイッチが共にオフの状態である。
【００３３】
図３（ｃ）の第２スライドスイッチのオフの状態から第２スライドスイッチの操作つまみ２を左方向に移動させると、その操作つまみ２と第２カムプレート７の係合部７ｂの係合により第２カムプレート７も左方向に移動し、図３（ｄ）に示す第２スライドスイッチのオン状態に達する。この第２スライドスイッチのオン状態では、第２カムプレート７の各突部７ｆが第１，第２プッシュプルスイッチの操作つまみ３，４の第１，第２規制部３ｄ、３ｅ、及び４ｄ、４ｅの直ぐ下方に位置しているので、各操作つまみ３，４を回動しようとすると、その第１，第２規制部３ｄ、３ｅ、及び４ｄ、４ｅが突部７ｆに突き当たって回動が規制されている。したがって、第２スライドスイッチのオン状態でも、第１，第２プッシュプルスイッチのプッシュ動作及びプル動作不能となっている。
【００３４】
なおまた、上述した第２スライドスイッチの操作つまみ２の左方向への移動に伴って第２カムプレート７が左方向に移動した際、第１スライドスイッチの操作つまみ１は第２カムプレート７の逃げ用切欠き部７ｃ内を相対的に移動するだけであり、したがって、第２カムプレート７の左方向の移動に対して第１スライドスイッチの操作つまみ１は連動せず、かつ第１スライドスイッチの操作つまみ１が第２カムプレート７の左方向の移動に支障になることはない。
【００３５】
一方、第２スライドスイッチの操作つまみ２を図３の（ｄ）のオン状態から右方向へ移動すると、第２カムプレート７の係合部７ｂにより第２カムプレート７も右方向へ移動し、図３の（ｃ）に示すオフ状態となる。このオフ状態ては、第２カムプレート７の各突部７ｆが第１，第２プッシュプルスイッチの操作つまみ３，４の第１，第２規制部３ｄ、３ｅ、及び４ｄ、４ｅの下方位置から外れており、第１，第２プッシュプルスイッチはプッシュ動作及びプル動作可能となる。
【００３６】
したがって、第１，第２スライドスイッチが共にオフの場合（図３（ａ）（ｃ）参照）のみ、第１，第２プッシュプルスイッチはプッシュ動作及びプル動作可能てあり、第１，第２スライドスイッチのいずれか一方、あるいは両方がオンの場合には、第１，第２プッシュプルスイッチは共にプッシュ動作及びプル動作不能となっている。
【００３７】
なお、例えば、第１スライドスイッチは座席のリクライニングの角度調整、第２スライドスイッチは座席の前後方向の位置調整、第１プッシュプルスイッチは座面のフロント側の上下調整、第２プッシュプルスイッチは座面のリア側の上下調整の操作に用いられる。そして、前記第１、第２のスライドスイッチ及び第１、第２のプッシュプルスイッチは図示を省略するモータに直列に接続されていて、それぞれのモータを駆動して、リクライニングの角度調整、座席の前後方向の位置調整、座席座面のフロント側の上下調整、座席座面のリア側の上下調整を行なう。なお、この際１つのスイッチには１２Ａ程度の電流を流しコネクタの電流容量は３０Ａ程度であるが、同時に最大でも２つのスイッチしかオンとならないのでコネクタに最大２４Ａしか流れず溶けてしまう等の問題が無い。
【００３８】
なお、本実施例１においてプッシュスイッチをプッシュプルスイッチで形成して、中立位置から回転軸３ａ，４ａを回転中心としてカムプレート６、７にその一端が近接及び離間するようにしてプッシュ及びプル動作が可能となっているが、操作つまみが水平にカムプレートに接近し、操作を解除すると中立位置に復帰する例えばタクトスイッチをプッシュスイッチとして用いても良い。タクトスイッチを用いた場合には規制用突部６ｆは、操作軸３ｂ，４ｂの前記スライド方向の両側に必ずしも設ける必要は無く片側に設ければ良い。さらには、本実施例のプッシュプルスイッチにおけるプル動作のみの機能を有するスイッチであっても反対側はカムプレートに近接してプッシュ動作となるから、これにも適用できる。
【００３９】
また、操作つまみ１〜４は別付けの操作つまみで形成したが、摺動子受けと一体で形成してもよい。
【００４０】
また、実施例１では、スライドスイッチとプッシュプルスイッチの対で２組設けているが、１組であってもよい。その場合には、カムプレートは１つでよい。
【００４１】
また、実施例１では、２個のプッシュプルスイッチと２つのカムプレートに対し、対となる突部を４個ずつ設けて同時に３つのスイッチがオンとならないようにしているが、必ずしもこのように構成する必要はなく、例えば、ハーネスコネクタの容量が３６Ａ以上４８Ａ未満であれば、つまり、許容電流に応じて、上記実施例１にあるカムプレートの１対の突部を省略して、同時に４個のスイッチはオンとならず最大３個のスイッチがオンとなるようにしてもよい。
【００４２】
このように本実施例１では、スライドスイッチがオンとなった状態でプッシュプルスイッチのプッシュ操作はできないので、両者がオンとなることはない。したがって、大量の電流が流れることは無く、定格電力の問題がなく、あるいは、誤って操作する等の問題もない。
【００４３】
また、本実施例１では、２組のスイッチにおいて、上記作用効果を奏することができる。
【００４４】
また、本実施例１では、平板状のカムプレートに孔（係合部、切欠き部）と突部を設けて形成し、また操作つまみの第１，第２規制部を突部に当接するようにしているので、各部材を複雑な形状とすることなく簡単な形状とでき、例えばガイド６ａ，７ａを屈曲して形成する、あるいは、端部に形成する、あるいは、削除する等すれば金属板をプレス加工することによって容易に形成でき、更には組み込み作業も簡単にできるので、生産性を向上できる。更に、操作つまみが変更されてもカムプレート等は変更する必要がないから種々の操作つまみに容易に対応できる。
【００４５】
なお、本実施例１においては、前記突部６ｆ，７ｆは基部６ｇ，７ｇから、周縁が繋がれた状態で突出して形成されており、第１、第２規制部がこれを板厚方向に圧縮する方向で荷重を加えるため、突出部自体の強度を高めることができて確実に当接させることができる。
【００４６】
また、本実施例１では、カムプレート６、７を平板状とし操作つまみをケースの１つの面に配置したが、例えば操作つまみ１と操作つまみ３をスライド方向と直行する方向に段差をもって配置し、両方の面に跨るようにカムプレートを屈曲して形成しても良い。また、操作つまみ１を、ケース５の操作つまみ３を配置した面と異なる面、例えば隣である側面に配置しこれに対応してスライドスイッチを配置して、カムプレートを両方の面に跨るように屈曲して形成するようにしても良い。
【００４７】
また、本実施例１では、スライド方向と垂直な回転軸で操作つまみ３、４を回転するように保持しているが、スライド方向と平行に回転軸を持つように操作つまみ３、４を配置しても構わない。その場合には１組のスイッチのみとし、スライドスイッチがオン状態で突部が操作つまみの規制部に当接し、オフ状態では外れる位置に配置すれば良い。
【実施例２】
【００４８】
次に、本発明の実施例２を図４を参照して説明する。
【００４９】
この実施例２が前記実施例１と異なる点は、前記実施例１が１回路のスライドスイッチに対して、２回路のスライドスイッチである。また、前記実施例１と同様の部材は同一符号を付して詳細な説明を省略する。
【００５０】
すなわち、図４に示すように、スライドスイッチはオフの位置とその両側にオンの位置があって、操作つまみ１はそれらの各オン、オフ位置にスライド操作される。
【００５１】
カムプレート１０は、スライドスイッチの操作つまみ１が挿入されて係合する係合部１０ｂが設けられ、スライドスイッチの操作つまみ１の図４の左右方向のスライド動作に伴って一体にスライド動作する。
【００５２】
プッシュプルスイッチの操作つまみ３は軸３ａに回動自在に支持され、また、前記実施例１と同様の操作軸部３ｂと、カバー部３ｃと、第１，第２規制部３ｄ，３ｅを備えている。
【００５３】
カムプレート１０には、上記と同様なプッシュプルスイッチの操作つまみ３が配置され、その操作つまみ３は開口部１０ｃを介してケース５内部のスイッチ本体の摺動子受けに接続されている。この開口部１０ｃのスライド方向の縁部近傍には、規制用突部１０ｄが、図４（ｂ）のオン時に第１，第２規制部３ｄ，３ｅに対応する位置に一対突設されるとともに、規制用突部１０ｅが、図４（ｃ）のオン時に第１，第２規制部３ｄ，３ｅに対応する位置に一対突設されている。
【００５４】
このような実施例２にあっても、前記実施例１と同様の作用効果を奏する。
【００５５】
また、上述したような変形が可能である。
【図面の簡単な説明】
【００５６】
【図１】本発明のスイッチユニットの実施例１を示す斜視図である。
【図２】図１に示す実施例１の平面図である。
【図３】図１に示す実施例１の動作状態の説明図である。
【図４】本発明の実施例２の動作状態の説明図である。
【図５】従来例のスイッチユニットの正面図である。
【図６】図５の動作例を示す説明図である。
【図７】図５の動作例を示す説明図である。
【符号の説明】
【００５７】
１、２、３、４  操作つまみ
１ａ，２ａ  平板部
３ｄ、４ｄ  第１規制部
３ｅ、４ｅ  第２規制部
５  ケース
６  第１カムプレート
７  第２カムプレート
６ｂ、７ｂ  係合部
６ｃ、７ｃ  切欠き部
６ｆ、７ｆ  規制用突部
１０  カムプレート
１０ｂ  係合部
１０ｄ、１０ｅ  規制用突部
【図１】
2005129302.tif 000003
【図２】
2005129302.tif 000004
【図３】
2005129302.tif 000005
【図４】
2005129302.tif 000006
【図５】
2005129302.tif 000007
【図６】
2005129302.tif 000008
【図７】
2005129302.tif 000009